(57)【要約】【課題】概略長方形断面の筒型で、一方が入口として開口したケースに収納されるメガネであって、ケースから取出して顔に即座に掛けることが出来るようにしたコンパクトメガネの提供。【解決手段】ツル２の継手８にはコイルバネ１５を備えて該ツル２が常に開くようなバネ力が付勢され、そしてフロント部１の外側に形成したツマミ１０は、メガネが収納された状態でケース入口２５からはみ出すようにしている。【選択図】        図１
2004212845.tif 000002
【特許請求の範囲】
【請求項１】
概略長方形断面の筒型で、一方が入口として開口したケースに収納されるメガネにおいて、ツルの継手にはバネを備えて該ツルが常に開くようなバネ力が付勢され、そしてフロント部の外側に形成したツマミは、メガネが収納された状態でケース入口からはみ出すようにしたことを特徴とするコンパクトメガネ。
【請求項２】
上記継手は、フロント部のコマに設けた軸ピンに係止するカギを形成したスライダーをスライド可能な状態で箱に嵌め、そしてスライダーの収容穴にはコイルバネを収容し、該コイルバネの前方端を箱の後方端から設けた穴の前方側ストッパー面に当接して構成した請求項１記載のコンパクトメガネ。
【発明の詳細な説明】
【０００１】
【発明の属する技術分野】
本発明は携帯用ケースから手軽に取出すことが出来、しかも簡単に顔に掛けることが出来るコンパクトメガネに関するものである。
【０００２】
【従来の技術】
図５は従来の一般的なメガネを示している。該メガネはリム（イ）、（イ）が連結部材（ロ）にて連結され、リム外側にはヨロイ（ハ）、（ハ）がロウ付けにて固定され、そしてヨロイ先端には蝶番などの継手（ニ）を介してツル（ホ）が折畳み出来るように取付けられている。リム（イ）の内側であって連結部材（ロ）の下側には鼻当てパット（ヘ）が取付けられ、上記リム（イ）には適正な度数のレンズ（ト）が嵌まっている。
【０００３】
メガネにはその用途によって凹レンズが嵌まる近眼用メガネと凸レンズが嵌まる老眼鏡があり、該老眼鏡は新聞や雑誌を読む場合、また細かい仕事をする場合に限って掛けることが多い。その為に、老眼鏡はケースに入れて携帯する場合が一般的である。
【０００４】
上記図５に示すようなメガネを老眼鏡として使用することは可能であり、むしろ普通であるが、該メガネをケースに収納するにはツルを折畳んで入れられる。図６はケース本体（チ）にメガネを収納した場合で蓋（リ）は開いているが、該蓋（リ）を閉じてカバンやポケットなどに入れて持ち歩くことが多い。そして、必要な場合には、ケースを取出して蓋（リ）を開け、メガネを持って両ツル（ホ）、（ホ）を開いて顔に掛ける一連の動作を行なっている。
【０００５】
このような動作は以前から行なわれて来たもので、抵抗は少ないかもしれないが、特にメガネを掛ける際に面倒な場合が多い。メガネを掛ける場合には、メガネを必要としている為に、短時間で手軽に着用出来ることが望まれるが、ケースの蓋（リ）を開けてメガネを取出し、両手でツル（ホ）、（ホ）を開いてから顔に掛けなくてはならない。
【０００６】
【発明が解決しようとする課題】
このように、ケースに入れて携帯する老眼鏡が必要になった際に、該老眼鏡を即座に掛けることは出来難い。本発明が解決しようとする課題はこの問題点であり、ケースから取出して顔に即座に掛けることが出来るようにしたコンパクトメガネを提供する。
【０００７】
【課題を解決する為の手段】
本発明に係るコンパクトメガネはケースから取出すと同時に直ちに掛けることが出来るように構成している。又、ケースから取出し易いメガネと成っている。そこで、ツルはフロント部の両側に折畳み可能に取付けられているが、常に開くことが出来るバネ力がツルの継手に付勢されている。ここで、ツルを開く為のバネの形態及びその取付け構造は限定しないことにする。
【０００８】
そして、メガネのフロント部にはツマミを外側から突出し、このツマミを摘んでケースから引出すことが出来るようにしている。ケースにはツルを折畳んだ状態で収納されるが、上記フロント部外側へ突出したツマミはケース入口から突出することが出来る。すなわち、ツマミの分が突出するようなケースの大きさと成っている。以下、本発明に係る実施例を図面に基づいて詳細に説明する。
【０００９】
【実施例】
図１は本発明に係るコンパクトメガネを示している実施例である。同図の１はフロント部、２はツルを示し、ツル２，２はフロント部の両側に取付けられて折畳みすることが出来る。そして、フロント部１は一枚の金属板を所定の形状に打抜き又は裁断して形成され、連結部３の両側に設けられる両リム４，４にはレンズ５，５が嵌まる。そしてレンズ５の着脱を可能にする為に、リム４の一部を切欠いてブローチ６を設けている。
【００１０】
該ブローチ６は一般の金属製メガネフレームに設けられているように、ネジ締めにてリム４を締めている。そして、フロント部１の両側にはヨロイ部７，７を設け、ヨロイ部７，７には継手８，８を介してツル２，２が取付けられて折畳み出来るように成っている。また、連結部３にはフロント部１を支える為に鼻当て部９を有し、該鼻当て部９は樹脂製であって、滑らかな曲面にて所定の形状を成している。
【００１１】
フロント部１は両リム４，４、連結部３、及びヨロイ７，７が連続し、一枚の金属板にて形成され、ヨロイ７，７から外方向へツマミ１０，１０が突出している。同図では両ツル２，２が開いている状態と成っているが、上記ツマミ１０，１０は開いたツル２，２より外方向へ突出した状態にある。
【００１２】
ところで、ツル２を折畳み可能に連結している継手８はコイルバネを備え、該ツル２が常に開く方向にバネ力が付勢されている。図２はツル２を折畳みする継手８の内部構造を示している具体例であり、（ｂ）は拡大図を表している。概略コ型ブロック状のコマ１１はヨロイ部７の内側（裏側）にロウ付けされ、該コマ１１に設けている軸ピン１２に継手８のカギ１３が係止している。
【００１３】
ツル２の内側には箱１４がロウ付けされ、該箱１４にはコイルバネ１５が内蔵されると共に上記カギ１３を備えたスライダー１６をスライド可能に収容している。そこで、ツル２が折畳まれている状態ではコイルバネ１５は圧縮され、圧縮されたコイルバネ１５が伸長するようにバネ力が作用し、ツル２は独りでに開くことが出来る。
【００１４】
図３は上記継手８を単独で示しているが、概略コ型断面の箱１４にはスライダー１６をスライド可能に収容し、該スライダー先端のカギ１３は箱１４から突出している。スライダー１６は箱１４に嵌まる長方形板であって、中央には長方形の収容穴１７が貫通し、この収容穴１７にコイルバネ１５が収容される。そして、コ型断面の箱１４には後方端１８から長さＡにわたってコイルバネ１５が嵌まるように円形断面の穴１９を設けている。すなわち、前方端１９の長さＢには穴１９が形成されていない。
【００１５】
そこで、スライダー１６の収容穴１７にコイルバネ１５を収容した状態で箱１４に嵌めるならば、該コイルバネ１５は箱１４に形成している穴２６に収納されるが、長さＢの部分には穴２６が設けられていない為に、コイルバネ１５の前方側端はストッパー面２０に当って圧縮されることに成る。スライダー１６が前方側（カギ側）へスライドするならば、コイルバネ１５は圧縮される。すなわち、長さＤが拡大することでコイルバネ１５の長さＣが圧縮されて大きなバネ力が発生する。
【００１６】
図２において、ツル２が折畳まれている場合には箱１４の前方端１９がコマ１１に当接してコマ１１に設けている軸ピン１２にカギ１３が係止している為に、スライダー１６は軸ピン側へ引き寄せられ、コイルバネ１５は圧縮状態にある。この圧縮バネ力はツル２を開く為のモーメントを誘発し、該ツル２は独りでに開くことが出来る。
【００１７】
コマ１１の端面２１にはコーナー部か切欠かれている為に、該箱１４の前方端１９はその一部がコマ端面２１と当接することで、圧縮バネ力に基づくモーメントが発生する。そして、ツル２が完全に開くならば、ツル端２２はコマ１１に形成したストッパー面２３に当って停止する。従って、本発明のメガネはケースから引出すと同時に、両ツル２，２は直ちに開いて即座に顔に掛けることが出来、ツルを両手で開く動作はいらなくなる。
【００１８】
図４はメガネがケース２４に収納されている状態を示している。該ケース２４は長方形断面の筒型を成して、一方端は入口２５として開口している。そして、該ケース２４に収納されているメガネは、フロント部１の外側に形成したツマミ１０が入口２５からはみ出している。従って、ケース２４をバックから取出してメガネを掛ける際、はみ出しているツマミ１０を持ってケース２４から引出すことが出来る。そして、引出されたメガネのツル２，２は直ちに開く為に顔に掛けることが出来る。
【００１９】
ケース２４は一方端が入口として開口しているが、ツル２，２は常に開くようにバネ力が作用している為に、該ツル２，２がケース内面に当って、メガネがガタ付くことはなく、又ケースから抜け落ちるといったこともない。以上述べたように、本発明のメガネはツルの継手にバネ力を付勢すると共に、フトント部外側にはツマミを形成したものであり、次のような効果を得ることが出来る。
【００２０】
【発明の効果】
本発明に係るコンパクトメガネは、そのツルの継手にバネを備えて常に開くようにバネ力が付勢されている。従って、ケースに収納してあるメガネを取出す場合、取出すと同時に両ツルは独りでに開く為に、顔に即座に掛けることが出来る。従来のメガネのように両ツルを手で持って開いたところで顔に掛けるといった動作がいらなくなり、新聞や雑誌を読む際に必要とされる老眼鏡として利用すると便利である。
【００２１】
そして、フロント部の外側にはツマミが突出して入口からはみ出して収納されるが、該ツマミを持ってメガネを直ちにケースから引出すことが出来る。ケースは一方端が入口として開口しているが、ツルに付勢されているバネ力がツルを押し開く為に、該ツルはケース内面に接して該メガネを安定して収納出来る。
【図面の簡単な説明】
【図１】本発明に係るコンパクトメガネの外観図。
【図２】ツルの開閉動作。
【図３】ツルの継手を示す詳細図。
【図４】ケースに収納されているメガネ。
【図５】一般的なメガネ外観。
【図６】従来のメガネをケースに入れた場合。
【符号の説明】
１  フロント部
２  ツル
３  連結部
４  リム
５  レンズ
６  ブローチ
７  ヨロイ部
８  継手
９  鼻当て部
１０  ツマミ
１１  コマ
１２  軸ピン
１３  カギ
１４  箱
１５  コイルバネ
１６  スライダー
１７  収容穴
１８  後方端
１９  前方端
２０  ストッパー面
２１  端面
２２  ツル端
２３  ストッパー面
２４  ケース
２５  入口
２６  穴
【図１】
2004212845.tif 000003
【図２】
2004212845.tif 000004
【図３】
2004212845.tif 000005
【図４】
2004212845.tif 000006
【図５】
2004212845.tif 000007
【図６】
2004212845.tif 000008